(57)【特許請求の範囲】
【請求項１】
互いに対してブレスレット方向（Ｄ）に運動可能な第１の半リンク（２）及び第２の半リンク（３）を有するブレスレット（２００）用の調整可能なリンク（１）であって、
前記第１の半リンク（２）及び前記第２の半リンク（３）はともに分離不能なアセンブリを形成し、
前記第１の半リンク（２）は、少なくとも１つの接続ロックメンバー（２３）を有するか、又は少なくとも１つの接続ロックメンバー（２３）に対して、固定されるように又はブレスレット方向（Ｄ）における運動が制限されるように組み立てられ、前記接続ロックメンバー（２３）は、ブレスレット方向（Ｄ）に交差するように延在し、かつ、ロック手段（２４）を有し、
前記第２の半リンク（３）は、相補的ロック手段（３４）を有するか、又は相補的ロック手段（３４）に対して固定されるように又はブレスレット方向（Ｄ）の運動が制限されように組み立てられ、
前記ロック手段（２４）及び前記相補的ロック手段（３４）は、前記第２の半リンク（３）に対して前記第１の半リンク（２）を動けなくする少なくとも２つのロック位置をともに形成し、前記ロック位置は、ブレスレット方向（Ｄ）に互いから離れており、
前記ロック手段（２４）及び／又は前記相補的ロック手段（３４）は、ブレスレット方向（Ｄ）に与えられた所与の値よりも大きい力の作用の下で、前記相補的ロック手段（３４）及び／又は前記ロック手段（２４）にそれぞれ備えられた弾性戻し手段に対して、運動可能であり、これによって、ブレスレット方向（Ｄ）における前記第１の半リンク（２）と前記第２の半リンク（３）の間の相対的位置変化が可能になり、
前記接続ロックメンバー（２３）は、前記ブレスレット方向（Ｄ）に平行な方向の断面の大きさが最小の収縮位置と前記ブレスレット方向（Ｄ）に平行な方向の断面の大きさが最大の自由な伸長位置との間で様々な位置を占めることができる弾性戻し手段を形成し、かつ、ブレスレット方向（Ｄ）に直交する方向に延在する実質的に管状の要素（２８）であり、ブレスレット方向（Ｄ）に実質的に直交する方向を向いている前記第１の半リンクのハウジング（２９）内に収容され、前記ハウジング（２９）は、自由状態において、前記要素（２８）が前記第１の半リンク（２）の境界面（２７）を越えて突出し、かつ、前記境界面（２７）は、さらに、ブレスレット方向（Ｄ）と平行に延在し、圧縮応力の付与の影響の下、あるいは前記要素（２８）が前記第２の半リンク（３）の相補的な支え面（３７）によって圧縮される場合の前記第２の半リンク（３）と前記第１の半リンク（２）の間の相対運動時の収縮状態において、前記要素（２８）が前記境界面（２７）内に保持される
ことを特徴とする調整可能なリンク（１）。
【請求項２】
前記第２の半リンク（３）は、ブレスレット方向（Ｄ）において延在し、
前記接続ロックメンバー（２３）が、離れた前記ロック位置のうちの１つのみを通り、このロック位置のみにおいて保持されることが可能になるように構成する少なくとも１つのハウジング（３３）を有し、
前記相補的ロック手段（３４）は、前記チャネル（３３）の近傍に配置されている
ことを特徴とする請求項１に記載の調整可能なリンク（１）。
【請求項３】
前記少なくとも１つの第１の半リンク（２）及び前記少なくとも１つの第２の半リンク（３）は、ガイド手段（２１）と相補的ガイド手段（３１）の連係によって互いに対してガイドされ、
阻止手段（２２）と相補的阻止手段（３２）の連係によって分離不能なアセンブリを形成する
ことを特徴とする請求項１に記載の調整可能なリンク（１）。
【請求項４】
前記第２の半リンク（３）は、ブレスレット方向（Ｄ）において延在する少なくとも１つのチャネル（３３）を有し、前記相補的ガイド手段（３１）を有する
ことを特徴とする請求項３に記載の調整可能なリンク（１）。
【請求項５】
前記相補的ロック手段（３４）は、ブレスレット方向（Ｄ）と交差する２つのチャンバ（３４Ａ、３４Ｂ）によって形成され、
各チャンバ（３４Ａ、３４Ｂ）は、前記第１の半リンク（２）に対する前記第２の半リンク（３）の相対的位置に対応する
ことを特徴とする請求項１に記載の調整可能なリンク（１）。
【請求項６】
前記要素（２８）は、裂け目を有する管状の輪を形成するものである
ことを特徴とする請求項１に記載の調整可能なリンク（１）。
【請求項７】
前記要素（２８）は、らせん状のばねである
ことを特徴とする請求項１に記載の調整可能なリンク（１）。
【請求項８】
前記要素（２８）は、ゴム又はエラストマー製の隆起部材である
ことを特徴とする請求項１に記載の調整可能なリンク（１）。
【請求項９】
前記第１の半リンク（２）及び第２の半リンク（３）は、これら半リンクのお互いに対する分離不能なアセンブリとするために、ブレスレット方向（Ｄ）において前記阻止手段（２２）及び前記相補的阻止手段（３２）を有し、
これによって、前記第１の半リンク（２）の第１の支え面（２５）が前記第２の半リンク（３）の第２の支え面（３５）に接しているような第１の閉位置と、前記阻止手段（２２）が前記相補的阻止手段（３２）に接しているような第２の離れた位置との間の最大調整ストロークが定められる
ことを特徴とする請求項３に記載の調整可能なリンク（１）。
【請求項１０】
前記ロック手段（２４）及び／又は前記相補的ロック手段（３４）は、少なくとも１つの傾斜を有し、これは、前記第１の半リンク（２）及び／又は前記第２の半リンク（３）にブレスレット方向（Ｄ）において加えられた力の作用の下で、そして、前記第１の半リンク（２）と前記第２の半リンク（３）の間の相対運動時に、前記ロック手段（２４）が折り曲げられた位置から折り曲げられていない位置に又は逆に変わることを可能にする
ことを特徴とする請求項１に記載の調整可能なリンク（１）。
【請求項１１】
前記阻止手段（２２）は、ブレスレット方向（Ｄ）に延在する長穴（２２０）で形成され、
前記相補的阻止手段（３２）は、前記長穴（３２０）内を動くピン（３２０）によって形成されている
ことを特徴とする請求項３に記載の調整可能なリンク（１）。
【請求項１２】
前記阻止手段（２２）は、当該調整可能なリンク（１）の最大伸長位置において、相補的な止め面（３５、２５）又はねじ頭（２５、３５）とそれぞれ当接するように連係するように構成するねじ頭（２５、３５）又は止め面（３５、２５）で形成されている
ことを特徴とする請求項３に記載の調整可能なリンク（１）。
【請求項１３】
ロック手段によって互いに取り付け可能な第１の部分（１０１）及び第２の部分（１０２）を有する留め具（１００）であって、
少なくとも前記第１の部分（１０１）又は前記第２の部分（１０２）は、請求項１に記載の調整可能なリンク（１）を有する
ことを特徴とする留め具（１００）。
【請求項１４】
請求項１に記載の調整可能なリンク（１）を形成する中央部分を有し、あるいは
請求項１に記載の調整可能なリンク（１）が組み入れられている
ことを特徴とする腕時計用ケース（３０１）。
【請求項１５】
少なくとも第１のブレスレットストランド（２０１）及び第２のブレスレットストランド（２０２）を有するブレスレット（２００）であって、
請求項１に記載の調整可能なリンク（１）を少なくとも１つ有し、
前記調整可能なリンク（１）は、前記第１の半リンク（２）と前記第１のストランド（２０１）の間の第１の固定手段（９１）と、前記第２の半リンク（３）と前記第２のストランド（２０２）の間の第２の固定手段（９２）とによって接続されて前記第１のストランド（２０１）と前記第２のストランド（２０２）の間に挿入されるか、あるいは前記留め具（１００）において組み込まれ、
前記第１の部分（１０１）は、第１の固定手段（９３）によって前記第１のストランド（２０１）に接続され、
前記第２の部分（１０２）は、第２の固定手段（９４）によって前記第２のストランド（２０２）に接続される
ことを特徴とするブレスレット（２００）。
【請求項１６】
前記ブレスレットは、一連のリンク（４）を有するヒンジ付きブレスレットであり、前記リンク（４）は、前記リンク（４）どうしでヒンジ付けされ、
少なくとも１つのリンク（４）は、前記調整可能なリンク（１）である
ことを特徴とする請求項１５に記載のブレスレット（２００）。
【請求項１７】
請求項１３に記載の留め具（１００）を有し、
前記ブレスレット（２００）を形成する他のリンク（４）のすべては、不可逆的なアセンブリを形成するようにリンク（４）どうしでヒンジ付けされ、これによって、分解が防がれる
ことを特徴とする請求項１６に記載のブレスレット（２００）。
【請求項１８】
前記ブレスレットは、前記リンク（４）を複数有し、
その各リンク（４）は、前記調整可能なリンクのすべての調整の範囲を組み合わせることによって、前記ブレスレット（２００）の調整の全範囲をカバーするように、前記調整可能なリンク（１）で形成されている
ことを特徴とする請求項１６に記載のブレスレット（２００）。
【請求項１９】
請求項１５に記載のブレスレット（２００）を有する腕時計（３００）であって、
前記ブレスレット（２００）の前記第１のストランド（２０１）及び前記第２のストランド（２０２）は、両側で腕時計用ケース（３０１）を保持する
ことを特徴とする腕時計（３００）。
【請求項２０】
当該腕時計（３００）の前記ケース（３０１）は、請求項１に記載の調整可能なリンク（１）を形成する中央部分を有し、
当該腕時計（３００）の前記ケース（３０１）は、請求項１に記載の調整可能なリンク（１）が組み入れられている
ことを特徴とする請求項１９に記載の腕時計（３００）。
【発明の詳細な説明】
【技術分野】
【０００１】
本発明は、「ブレスレット方向」と呼ばれる方向に互いに対して運動可能な少なくとも第１の半リンク及び少なくとも第２の半リンクを有するブレスレットないしリストバンド用の調整可能なリンクに関する。これらの第１の半リンク及び第２の半リンクは、分離不能なアセンブリをともに形成し、これにおいて、
−  第１の半リンクは、少なくとも１つの接続ロックメンバーを有するか、あるいは少なくとも１つの接続ロックメンバーに対して、固定されるように又はブレスレット方向の運動が制限されるように組み立てられ、接続ロックメンバーは、ブレスレット方向を交差するように延在し、ロック手段を有する。
−  前記第２の半リンクは、相補的ロック手段を有するか、あるいは相補的ロック手段に対して、固定されるように又はブレスレット方向に運動が制限されるように組み立てられる。
−  前記ロック手段及び相補的ロック手段は、第２の半リンクに対して第１の半リンクを動けなくする少なくとも２つのロック位置をともに定め、これらの位置は、ブレスレット方向に互いに離れており、
−  前記ロック手段及び／又は相補的ロック手段は、ブレスレット方向に与えられ所与の値よりも大きい力の作用の下で、相補的ロック手段及び／又はロック手段に備えられる弾性戻し手段に対して運動可能であり、これによって、ブレスレット方向における第１の半リンクと第２の半リンクの間の位置の相対的変化が可能になる。
【０００２】
本発明は、さらに、ロック手段によって互いに取り付けられることが可能な第１の部分及び第２の部分を有する留め具に関する。
【０００３】
本発明は、さらに、腕時計用ケースに関する。
【０００４】
本発明は、さらに、少なくとも第１及び第２のブレスレットストランドを有するブレスレットに関する。
【０００５】
本発明は、さらに、この種のブレスレットを有する腕時計に関する。
【０００６】
本発明は、調整可能な留め具の分野に関し、特に、動物又は人間の体に着用されることを意図された物用のものに関する。本発明は、具体的には、ブレスレット、ベルト、ストラップ、ハーネス及び同様の物用の留め具に関し、特に、宝石、皮革製品又は馬具の分野のものに関する。
【背景技術】
【０００７】
一般的に、ブレスレット、ネックレス、ベルト、ストラップ及び同様の物は、調整可能な手法で所定位置に固定される。これによって、正確な位置合わせを再度行うことが可能になる。また、ユーザーは、複数の穴のうちの１つの穴に指をかけることによって、あるいはピンをラックなどに引っ掛けることによって、調整することができる。摩擦を使用して位置を維持するような連続的な留め具では、再度の位置合わせを正確に行うことができない。
【０００８】
気候要因、ユーザーの形態変化や快適さを考慮すると、２つの所定位置の間などで長さを調整することができる留め具を有することが必要な場合がしばしばある。
【０００９】
ＥＬＦＩＸ  ＰＲＯＤＵＣＴＩＯＮ  ＳＡ名義のスイス特許ＣＨ６９９０６７は、留め具カバーにおいて装備されるブレスレットの長さを精密に調整するデバイスを開示している。これは、２つの所定位置において指標付けするデバイスを有し、また、ばねボール押しボタンを有し、これは、横方向の棒に固定され、ブレスレットの一端に接続され、留め具カバーに設けられた貫通穴と連係するように構成している。
【００１０】
ＴＨＥ  ＳＷＡＴＣＨ  ＧＲＯＵＰ  ＭＡＮＡＧＥＭＥＮＴ  ＳＥＲＶＩＣＥＳ  ＡＧ名義の欧州特許ＥＰ０７３７４２７及びＷＥＲＴＨＡＮＯＲ  ＳＡ名義のスイス特許ＣＨ６９５６５６は、腕時計用手首用バンドないしブレスレット用の調整可能なリンクを開示しており、これにおいて、ロック解除用ボタンを動作させてある長さの指標付け位置から別の位置へと変えることによって調整を行う。
【００１１】
ＰＥＲＩＬＬＡＴ  ＣＯＬＯＭＢ名義のフランス特許ＦＲ２６７０９９５は、ブレスレットの長手方向に延在する棒を開示しており、この棒の両端はそれぞれ、所定の指標付けされた位置でリンク部分において係合している。これは、ばねバーによって、又はばねバーに設けられた穴と連係するスタッドによって係合している。ある位置から別の位置に変えるために工具を使用しなければならない。これらの指標付けデバイスは、交差するように延在し、かなりの量のスペースを必要とする。それらは目に見えるので、ブレスレットの総合的な魅力を損なってしまう。
【００１２】
これらの既知のデバイスは、交差するように作用し、一般に、調整を行う工具を必要とし、目に見えるままである。
【００１３】
ＯＭＥＧＡ  ＳＡ名義の欧州特許ＥＰ２４８４２４４は、ガイド手段及び相補的ガイド手段の連係によって互いに対して長手方向に運動可能な第１の半リンク及び第２の半リンクを有するブレスレット用の調整可能なリンクを開示しており、これによって、阻止手段及び相補的阻止手段の連係によって分離不能なアセンブリをともに形成している。第１の半リンクは、この方向に延在するフィンガーを有し、この方向に対して実質的に半径方向の弾性戻しを備えたロック手段を有し、折り曲げられた位置と折り曲げられていない位置の間で運動可能である。第２の半リンクは、この方向に延在するチャネルを有し、これは、ロック手段の折り曲げられていない位置又は折り曲げられた位置の一方のみにおいてフィンガーの通過が可能であるように構成している。この第２の半リンクは、さらに、チャネルへの近傍において、ロック手段の折り曲げられていない位置又は折り曲げられた位置の他方におけるロック手段と少なくとも１つのロック位置において連係する相補的ロック手段を有し、ロック手段及び相補的ロック手段は、長手方向において少なくとも２つの離れたロック位置をともに定める。
【発明の概要】
【発明が解決しようとする課題】
【００１４】
本発明は、従来技術の手法よりもコンパクトな手法を提案することを目的とし、これは、ブレスレットの長手方向において作用し、特定の工具を使わない調整可能な機構を使用する。これにおいて、調整機構は、隠された状態を維持し、調整可能なリンクを収縮位置に戻す戻し手段を有する。
【課題を解決するための手段】
【００１５】
このために、本発明は、互いに対してブレスレット方向と呼ぶ方向に運動可能な少なくとも第１の半リンク及び少なくとも第２の半リンクを有するブレスレット用の調整可能なリンクであって、
前記第１の半リンク及び前記第２の半リンクはともに分離不能なアセンブリを形成し、
前記第１の半リンクは、少なくとも１つの接続ロックメンバーを有するか、又は少なくとも１つの接続ロックメンバーに対して、固定されるように又はブレスレット方向における運動が制限されるように組み立てられ、前記接続ロックメンバーは、ブレスレット方向に交差するように延在し、かつ、ロック手段を有し、
前記第２の半リンクは、相補的ロック手段を有するか、又は相補的ロック手段に対して、固定されるように又はブレスレット方向の運動が制限されように組み立てられ、
前記ロック手段及び前記相補的ロック手段は、前記第２の半リンクに対して前記第１の半リンクを動けなくする少なくとも２つのロック位置をともに定め、前記ロック位置は、ブレスレット方向において互いから離れており、
前記ロック手段及び／又は前記相補的ロック手段は、ブレスレット方向に与えられた所与の値よりも大きい力の作用の下で、前記相補的ロック手段及び／又は前記ロック手段にそれぞれ備えられた弾性戻し手段に対して、運動可能であり、これによって、ブレスレット方向における前記第１の半リンクと前記第２の半リンクの間の相対的位置変化が可能になり、
前記接続ロックメンバーは、断面の大きさが最小の収縮位置と断面の大きさが最大の自由な伸長位置との間で様々な位置を占めることができる弾性戻し手段を形成し、かつ、ブレスレット方向に直交する方向に延在する実質的に管状の要素であり、ブレスレット方向に実質的に直交する方向を向いている前記第１の半リンクのハウジング内に収容され、前記ハウジングは、自由状態において、前記要素が前記第１の半リンクの境界面を越えて前記ハウジングから突出し、かつ、前記境界面は、さらに、ブレスレット方向と平行に延在し、圧縮応力の付与の影響の下、あるいは前記要素が前記第２の半リンクの相補的な支え面によって圧縮される場合の前記第２の半リンクと前記第１の半リンクの間の相対運動時の収縮状態において、前記要素が前記境界面内に保持されるものに関する。
【００１６】
本発明は、さらに、ロック手段によって互いに取り付けられることが可能な第１の部分及び第２の部分を有する留め具に関し、これにおいて、少なくとも第１の部分又は第２の部分が、この種の調整可能なリンクを有する。
【００１７】
本発明は、さらに、腕時計用ケースに関し、これにおいて、その中央部分がこの種の調整可能なリンクを形成し、又はこの種の調整可能なリンクが組み入れられる。
【００１８】
本発明は、さらに、少なくとも第１のブレスレットストランド及び第２のブレスレットストランドを有するブレスレットであって、
この種の調整可能なリンクを少なくとも１つ有し、
前記調整可能なリンクは、前記第１の半リンクと前記第１のストランドの間の第１の固定手段と、前記第２の半リンクと前記第２のストランドの間の第２の固定手段とによって接続されて前記第１のストランドと前記第２のストランドの間に挿入されるか、あるいはこの種の留め具において組み込まれ、
前記第１の部分は、第１の手段によって前記第１のストランドに接続され、
前記第２の部分は、第２の固定手段によって前記第２のストランドに接続されるものに関する。
【００１９】
本発明は、さらに、この種のブレスレットを有する腕時計に関し、これにおいて、ブレスレットの第１のストランドの１つ及び第２のストランドの１つが、両側で腕時計用ケースを保持する。
【００２０】
添付した図面を参照して以下の詳細な説明を読むことで、本発明の他の特徴及び利点をより明確に理解できるであろう。
【図面の簡単な説明】
【００２１】
【図１】本発明に係る調整可能なリンクの第１の変種の概略的な分解斜視図である。
【図２】折り曲げられた位置にロックされた図１の調整可能なリンクの正中面の概略的な断面図を示す。
【図３】折り曲げられた位置における図１の調整可能なリンクの正中面の長手方向の概略的な断面図を示す。
【図４】図３と同様な方法で、折り曲げられていない位置における図１の調整可能なリンクを示す断面図である。
【図５】折り曲げられた位置における図１の調整可能なリンクの正中面と平行な平面の長手方向の概略的な断面図を示す。
【図６】図４と同様な方法で、折り曲げられていない位置の図１の調整可能なリンクを示す図であって、これは、ねじを通すボアを有する分離不能な阻止手段を備えている。
【図７】図１の調整可能なリンクを組み入れた本発明に係る留め具の概略的な断面図であって、この留め具は開位置にある。
【図８】図７の留め具を有するブレスレットの概略的な平面図を示す。
【図９】図１の調整可能なリンクを有するブレスレットの概略的な平面図を示す。
【図１０】図７の留め具を有するブレスレット及び図１の調整可能なリンクの概略的な平面図を示す。
【図１１】図７の留め具を有するブレスレット及び一連のヒンジ付きリンクの概略的な平面図を示す。
【図１２】図１の調整可能なリンクを有するブレスレットによって保持される腕時計用ケースを有する腕時計の概略的な平面図を示す。
【図１３】図１と同様な方法で、本発明に係る調整可能なリンクの第２の変種を示す分解斜視図である。
【図１４】折り曲げられた位置に固定された図１３の調整可能なリンクの正中面の概略的な断面図を示す。
【図１５】折り曲げられていない位置における図１３の調整可能なリンクの正中面の長手方向の概略的な断面図を示す。
【図１６】図１３の調整可能なリンクの第２の半リンクの概略的な斜視図を示す。
【図１７】図１５と同様な方法で、折り曲げられていない位置における図１３の調整可能なリンクの別の実施形態を示す断面図である。
【図１８】折り曲げられていない位置における図１７の調整可能なリンクの正中面の長手方向の概略的な断面図を示す。
【発明を実施するための形態】
【００２２】
本発明は、さらに、ブレスレット２００用の調整可能なリンク１に関する。
【００２３】
本発明は、調整可能な留め具の分野に関し、特に、人間又は動物の体に着用されることを意図されたものに関する。本発明は、具体的には、宝石、皮革製品又は馬具などの分野において使用されるブレスレット、ネックレス、ベルト、ストラップ、ハーネス及び同様の物用の留め具に関する。
【００２４】
これらの物は、サイズや細かい形状において異なるが同様の手法で動作し、以下において、単一の用語「ブレスレット」と呼ぶ。
【００２５】
ブレスレット２００用のこの調整可能なリンク１は、ブレスレット方向Ｄにて互いに対して運動可能であって分離不能なアセンブリを形成するような少なくとも第１の半リンク２及び少なくとも第２の半リンク３を有する。好ましい一実施形態（これに限定されない）では、方向Ｄは線形である。
【００２６】
第１の半リンク２は、少なくとも１つの接続ロックメンバー２３を有するか、あるいは少なくとも１つの接続ロックメンバー２３に対して、固定されるように又はブレスレット方向Ｄにおける運動が制限されるように組み立てられる。この接続ロックメンバー２３は、ブレスレット方向Ｄを横切るように延在し、ロック手段２４を有する。
【００２７】
第２の半リンク３は、相補的ロック手段３４を有するか、あるいは相補的ロック手段３４に対して、固定されるように又はブレスレット方向Ｄにおける運動が制限されるように組み立てられる。
【００２８】
ロック手段２４及び相補的ロック手段３４は、第２の半リンク３に対して第１の半リンク２を動けなくする少なくとも２つのロック位置をともに定める。これらの位置は、ブレスレット方向Ｄにおいて互いに離れており距離を有する。
【００２９】
ロック手段２４及び／又は相補的ロック手段３４は、ブレスレット方向Ｄに与えられ所与の値よりも大きい力の作用の下で、相補的ロック手段３４及び／又はロック手段２４がそれぞれ有する弾性戻し手段に対して運動可能である。これによって、ブレスレット方向Ｄにおける第１の半リンク２と第２の半リンク３の間の位置の相対的変化が可能になる。
【００３０】
本明細書においては、２つを超える半リンクを有する調整可能なリンクの場合については説明をしていない。なぜなら、当業者にとって、このデバイスから直列のいくつかの調整可能な段を有する変種を導き出すことは容易であるからである。
【００３１】
図に示す好ましい実施形態において、第２の半リンク３は、少なくとも１つのハウジング３３を有する。これは、ブレスレット方向Ｄにおいて延在し、接続ロックメンバー２３が通り離れたロック位置のうちの１つのみにおいて保持されることを可能にするように構成されている。また、相補的ロック手段３４は、チャネル３３の近傍に配置されている。
【００３２】
好ましくは、前記少なくとも１つの第１の半リンク２及び前記少なくとも１つの第２の半リンク３は、ガイド手段２１及び相補的ガイド手段３１の連係によって互いに対してガイドされ、阻止手段２２及び相補的阻止手段３２の連係によって分離不能なアセンブリを形成する。
【００３３】
したがって、図示した実施形態において、第２の半リンク３は、少なくとも１つのチャネル３３を有し、これは、ブレスレット方向Ｄにおいて延在し相補的ガイド手段３１を有する。
【００３４】
相補的ロック手段３４は、チャンバ３４Ａ、３４Ｂによって形成され、これは、ブレスレット方向Ｄと交差し、チャンバ３４Ａ、３４Ｂのそれぞれは、第１の半リンク２に対する第２の半リンク３の相対的位置に対応する。図１〜６の第１の変種において、これらのチャンバ３４Ａ、３４Ｂは、型による成形、鋳造又は機械加工によって形成される別々の小袋である。図１３〜１８の第２の変種において、これらのチャンバ３４Ａ、３４Ｂは、傾斜した穴であって、図１６に示すように、これらの間を隆起部分３７が横断して一方から他方まで通るようにする必要がある。
【００３５】
本発明によると、特に、図１〜６の第１の変種において、接続ロックメンバー２３は、弾性戻し手段を形成する実質的に管状の要素２８であり、これは、断面における大きさが最小である収縮位置と、断面における大きさ最大である自由で伸長された伸長位置との間で様々な位置を占めることができる。この要素２８は、ブレスレット方向Ｄと直交する方向に延在し、第１の半リンク２のハウジング２９内に収容されている。ハウジング２９の方向は、方向Ｄと実質的に直交している。このハウジング２９は、自由状態において要素２８が第１の半リンク２の境界面２７を越えてハウジング２９から突き出るような大きさを有する。この境界面２７は、ブレスレット方向Ｄと平行に延在する。要素２８が収縮状態においては、圧縮応力の付与の影響の下で、あるいは要素２８が第２の半リンク３の相補的な支え面３７によって圧縮される場合の第２の半リンク３と第１の半リンク２の間の相対運動時において、要素２８は、境界面２７内に保持される。図３及び４は、半リンク２及び３の２つの位置における要素２８のチャンバ３４Ｂ及び３４Ａとの連続的な関係を示しており、これら半リンク２及び３は、互いに近いが互いに離れている。
【００３６】
図示したバージョンでは、要素２８は、裂け目を有する管状のばねである。また、要素２８は、らせん状のばね、ゴム、エラストマーなどで作られた隆起部分であることができる（これらに限定されない）。
【００３７】
図１３〜１８の第２の変種では、接続ロックメンバー２３は、第１の半リンク２のハウジング２９内のばね２６Ａによって押圧される押し片２６である。この第１の半リンク２の方向は、方向Ｄに実質的に直交する。ハウジング２９は、自由状態において要素２６が第１の半リンク２の境界面２７を越えてハウジング２９から突出するような大きさを有し、この境界面２７は、ブレスレット方向Ｄと平行に延在する。収縮状態において、圧縮応力の付与の影響の下で、あるいは要素２６が第２の半リンク３の相補的な支え面によって圧縮される場合の第２の半リンク３と第１の半リンク２の間の相対運動時に、要素２６が境界面２７内に保持される。図１５及び１６は、この変種実施形態における２つの可能性のある位置を示す。
【００３８】
好ましくは、第１の半リンク２及び第２の半リンク３はそれぞれ、ブレスレット方向Ｄにおいて阻止手段２２及び相補的阻止手段３２を有する。これらは、第１の半リンク２及び第２の半リンク３の互いに対する分離不能なアセンブリのために用いられ、これらによって、第１の半リンク２の第１の支え面２５が第２の半リンク３の第２の支え面３５に接している第１の閉位置と、阻止手段２２が相補的阻止手段３２に接している第２の離れた位置との間の最大調整ストロークが定められる。
【００３９】
好ましい一実施形態では、ロック手段２４及び／又は相補的ロック手段３４は、少なくとも１つの傾斜を有し、この傾斜は、第１の半リンク２及び／又は第２の半リンク３に対してブレスレット方向Ｄにおいて加えられる力の作用の下で、そして、第１の半リンク２と第２の半リンク３の間の相対運動時に、ロック手段２４が折り曲げられた位置から折り曲げられていない位置へ又は逆に変わることが可能になる。
【００４０】
図１、２、５、１７及び１８に示す第１の実施形態において、阻止手段２２は、方向Ｄに延在する長穴２２０によって形成され、また、相補的阻止手段３２は、長穴２２０内を移動するピン３２０によって形成されている。
【００４１】
図６及び図１３〜図１５に示す第２の実施形態において、阻止手段２２は、ねじ頭２５、３５又は止め面３５、２５によって形成されている。これらは、調整可能なリンク１の最大伸長位置において、それぞれ、相補的な止め面３５、２５、又はねじ頭２５、３５と当接して連係するように構成されている。したがって、図６は、第２の半リンク３のボア２２１において動く、第１の半リンク２と一体化されたねじ２２１を示す。これにおいて、ねじ頭の表面２５は、第２の半リンク３が備える表面３５上の止め位置に動くように構成されている。図６は、軸方向の止めの原理を単に示すように単純化されており、ヒンジ付きブレスレット又は本発明に係る調整可能なリンクに備えられる装飾的要素をまったく示していない。特に、ヒンジ領域を隠すようなものについてである。当然、調整可能なリンク１の折り曲げられた位置において、ねじ頭の面は、ヒンジピンから十分に離れたままでなければならず、これによって、それが入れられるブレスレットの残りとの適切な接続が可能になる。図１３は、反対に、第１の半リンク２のボア２２１内を動く第２の半リンク３と一体化されたねじ３２１を示す。これにおいて、ねじ頭の面３５は、第１の半リンク２に備えられた面２５上の止め位置まで動くように構成されている。
【００４２】
本発明は、さらに、ロック手段によって互いに取り付け可能な第１の部分１０１及び第２の部分１０２を有する留め具１００に関する。しかし、当業者に広く知られているので、ここでは詳細に説明しない。本発明によると、少なくとも第１の部分１０１又は第２の部分１０２が、この種の調整可能なリンク１を有する。
【００４３】
本発明は、さらに、中央部分において、本発明に係る調整可能なリンク１を形成していたり、調整可能なリンク１が組み込まれているような腕時計用ケース３０１に関する。
【００４４】
本発明は、さらに、少なくとも第１のブレスレットストランド２０１及び第２のブレスレットストランド２０２を有するブレスレット２００に関する。本発明によれば、このブレスレット２００は、この種の調整可能なリンク１を少なくとも１つ有する。この調整可能なリンク１は、第１のストランド２０１と第２のストランド２０２の間に差し込まれるか、あるいはこの種の留め具１００に組み込まれる。この第１のストランド２０１と第２のストランド２０２の間には、第１の半リンク２と第１のストランド２０１の間の第１の固定手段９３及び第２の半リンク３と第２のストランド２０２の間の第２の固定手段９４によって調整可能なリンク１が接続される。第１の場合において、第１の部分１０１は、第１の固定手段９３によって第１のストランド２０１に接続され、第２の部分１０２は、第２の固定手段９４によって第２のストランド２０２に接続される。
【００４５】
図１１に示す特定の一実施形態においては、このブレスレット２００は、一連のリンク４を有するヒンジ付きブレスレットである。このリンク４は、互いにヒンジ付けされ、少なくとも１つのリンク４はこの種の調整可能なリンク１である。特定の一実施形態においては、ブレスレット２００は、この種の留め具１００を有し、また、ブレスレット２００を形成する他のリンク４はすべて、互いにヒンジ付けされて不可逆的なアセンブリとなって、その分解を防ぐ。広範囲に調整を行えるバージョンにおいては、ブレスレット２００は、この種のいくつかのリンク４を有し、その各リンク４は、調整可能なリンク１で作られ、これによって、すべての調整可能なリンクの調整の範囲を組み合わせることによって、ブレスレット２００の調整の全範囲をカバーすることができる。
【００４６】
本発明は、さらに、この種のリストバンド２００を有する腕時計３００に関する。本発明によると、ブレスレット２００の第１のストランド２０１及び第２のストランド２０２は、両側で腕時計用ケース３０１を保持している。特定の一実施形態においては、腕時計用ケース３０１は、本発明に係る調整可能なリンク１を形成する中央部分を有する。あるいは、調整可能なリンク１を組み入れる。
【００４７】
このようにして、本発明は上記の目的を満たし、特定の工具を使用しない調整可能な機構によってブレスレットの長手方向に作用する。これにおいて、この調整機構は、隠される状態を維持し、調整可能なリンクをその収縮位置に戻す戻し手段を有する。この調整機構は非線形の形状に適応可能であり、ブレスレットがなくなってしまうリスクなしで、完全に固定される容易な調整を可能にする。
【図１】
0005965547.tif 000002
【図２】
0005965547.tif 000003
【図３】
0005965547.tif 000004
【図４】
0005965547.tif 000005
【図５】
0005965547.tif 000006
【図６】
0005965547.tif 000007
【図７】
0005965547.tif 000008
【図８】
0005965547.tif 000009
【図９】
0005965547.tif 000010
【図１０】
0005965547.tif 000011
【図１１】
0005965547.tif 000012
【図１２】
0005965547.tif 000013
【図１３】
0005965547.tif 000014
【図１４−１５】
0005965547.tif 000015
【図１６】
0005965547.tif 000016
【図１７】
0005965547.tif 000017
【図１８】
0005965547.tif 000018